(57)【特許請求の範囲】
【請求項１】
高温多湿環境下にある装置を監視するために用いられる監視カメラ装置であって、
監視カメラと、
該監視カメラが内蔵された内側ハウジング部と、
該内側ハウジング部が内蔵されたハウジング部と、
該ハウジング部内に冷却用のエアを導入するための冷却用エア管と、
を備え、
前記内側ハウジング部が内開口部を有し、前記監視カメラが該内開口部に挿入されて支持されており、
前記ハウジング部が、円筒状の本体部と、該本体部の後端に取り付けられた後蓋部と、前記本体部の前端に取り付けられた前蓋部と、を有し、
該前蓋部には開口部が設けられており、
前記後蓋部に前記冷却用エア管が取り付けられ、
前記ハウジング部及び前記内側ハウジング部の間には隙間部が設けられており、
前記冷却用エア管により前記ハウジング部内に導入された前記冷却用のエアが前記隙間部を流通し、前記内開口部における前記監視カメラの前方に吹き付けられ、前記開口部から放出される監視カメラ装置。
【請求項２】
前記後蓋部が前記内側ハウジング部を支持している請求項１記載の監視カメラ装置。
【請求項３】
前記監視カメラのレンズにレンズカバーが取り付けられており、
前記内側ハウジング部が内開口部を有し、前記レンズカバーが該内開口部に挿入されて支持されている請求項１又は２記載の監視カメラ装置。
【請求項４】
前記内側ハウジング部には、ステージ部が設けられており、
前記監視カメラが、前記内側ハウジング部の内壁に接しないように、前記ステージ部に載置されており、
前記ステージ部の熱伝導率が０．３以上である請求項１〜３いずれか１項に記載の監視カメラ装置。
【請求項５】
前記本体部には周方向に沿って断熱材が埋設されており、
前記断熱材が、ガラスウール、発泡スチロール、発泡ウレタン及びエアロゲルからなる群より選ばれる少なくとも１つである請求項１〜４のいずれか１項に記載の監視カメラ装置。
【請求項６】
前記後蓋部に取り付けられた吹付用エア管、及び、該吹付用エア管の先端に取り付けられたノズル部、からなるエア吹付部を更に備え、
前記監視カメラのレンズにレンズカバーが取り付けられており、
前記吹付用エア管が前記ハウジング部を回り込んで前記ハウジング部の前方へ延出しており、前記ノズル部が、前記監視カメラの少なくとも前方にエアを吹き付け可能となっている請求項１〜５いずれか１項に記載の監視カメラ装置。
【請求項７】
温度６０℃かつ露点温度４５℃以上の高温環境下にある抄紙機のドライヤーフード内部で用いられる請求項１〜６のいずれか１項に記載の監視カメラ装置。
【発明の詳細な説明】
【技術分野】
【０００１】
本発明は、監視カメラ装置に関し、更に詳しくは高温環境下であっても安定的に装置の撮影が可能な監視カメラ装置に関する。
【背景技術】
【０００２】
様々な産業分野においては、装置の使用を継続することで当該装置に汚れが付着する場合がある。また、装置は高温環境下等の劣悪な環境で用いられる場合がある。
【０００３】
例えば、抄紙機のドライヤーパートにおいては、使用を継続することで、ドライヤーロール等の装置に、パルプ原料（古紙パルプ含む）由来のピッチ（汚染物）が付着する場合がある。
【０００４】
装置を監視するカメラ装置としては、湿紙汚染や断紙の発生箇所を監視する監視システムが知られている。
例えば、走行する紙を静止した二次元画像として取りこむビディオカメラと、同ビディオカメラの出力を受けるＡ／Ｄコンバータと、同Ａ／Ｄコンバートの出力を受けるメモリと、同メモリに接続され、同メモリへ呼び出し指令を出してその情報を入力し、周波数分析や標準偏差処理による地合解析を行う第１の画像信号処理装置と、同第１の画像信号処理装置の呼び出し指令により上記メモリからディジタル情報を受けとり紙の欠陥の解析を行う第２の画像信号処理装置と、同じく上記メモリからディジタル情報を受けとり紙のストリークの解析を行う第３の画像信号処理装置と、上記第１ないし第３の画像信号処理装置の出力、ならびに抄紙機のジェット速度、ワイヤ速度、および原料濃度の信号を受け、同ジェット速度、ワイヤ速度および原料濃度と地合指標、およびストリークとの間の相関解析を行う演算装置と、同演算装置につながれその出力を表示する表示装置とを備えてなる紙の品質モニタリング装置が知られている（例えば、特許文献１参照）。
【先行技術文献】
【特許文献】
【０００５】
【特許文献１】特公平０７−１２２６１６号公報
【発明の概要】
【発明が解決しようとする課題】
【０００６】
ところで、抄紙工程のドライヤーパートにおいては、ドライヤーロール、カンバス、カンバスロールが覆われたドライヤーフード内部で湿紙の乾燥が行われる。このとき、湿紙は高速で搬送されるため、汚染物が飛散し、湿紙のみならず、ドライヤーフード内部の装置にも付着する恐れがある。ちなみに、ドライヤーフード内部の装置に汚染物が付着すると、それが落下したり、湿紙に転移する等して、結果的に湿紙汚染を引き起こしたり、断紙の原因となったりすることになる。
【０００７】
しかしながら、ドライヤーフード内部は、高温となっているため、一般的な監視カメラで撮影することは困難である。
なお、上記特許文献１記載の品質モニタリング装置においては、完成品である紙がビディオカメラで撮影されるものであり、高温環境下にある抄紙機のドライヤーフード内部の監視には適さない。
仮に、上記ビディオカメラを、抄紙機のドライヤーフード内部の撮影に用いると、高温によりビディオカメラにエラーが発生し、監視のための撮影を継続することができなくなる場合がある。
ちなみに、抄紙機以外の産業分野において高温環境下で用いられる装置についても、同様のことが言える。
【０００８】
本発明は上記事情に鑑みてなされたものであり、高温環境下にある装置の撮影を可能とし、安定的な撮影が可能な監視カメラ装置を提供することを目的とする。
【課題を解決するための手段】
【０００９】
本発明者等は、監視カメラをハウジング部に内蔵すると共に、該ハウジング部に冷却用のエアを導入する構成とすることにより、上記課題を解決し得ることを見出し、本発明を完成するに至った。
【００１０】
本発明は、（１）高温多湿環境下にある装置を監視するために用いられる監視カメラ装置であって、監視カメラと、監視カメラが内蔵された内側ハウジング部と、内側ハウジング部が内蔵されたハウジング部と、ハウジング部内に冷却用のエアを導入するための冷却用エア管と、を備え、内側ハウジング部が内開口部を有し、監視カメラが内開口部に挿入されて支持されており、ハウジング部が、円筒状の本体部と、本体部の後端に取り付けられた後蓋部と、本体部の前端に取り付けられた前蓋部と、を有し、前蓋部には開口部が設けられており、後蓋部に冷却用エア管が取り付けられ、ハウジング部及び内側ハウジング部の間には隙間部が設けられており、冷却用エア管によりハウジング部内に導入された冷却用のエアが隙間部を流通し、内開口部における監視カメラの前方に吹き付けられ、開口部から放出される監視カメラ装置に存する。
【００１１】
本発明は、（２）後蓋部が内側ハウジング部を支持している上記（１）記載の監視カメラ装置に存する。
【００１２】
本発明は、（３）監視カメラのレンズにレンズカバーが取り付けられており、内側ハウジング部が内開口部を有し、レンズカバーが内開口部に挿入されて支持されている上記（１）又は（２）記載の監視カメラ装置に存する。
【００１３】
本発明は、（４）内側ハウジング部には、ステージ部が設けられており、監視カメラが、内側ハウジング部の内壁に接しないように、ステージ部に載置されており、ステージ部の熱伝導率が０．３以上である上記（１）〜（３）いずれか１つに記載の監視カメラ装置に存する。
【００１４】
本発明は、（５）本体部には周方向に沿って断熱材が埋設されており、断熱材が、ガラスウール、発泡スチロール、発泡ウレタン及びエアロゲルからなる群より選ばれる少なくとも１つである上記（１）〜（４）のいずれか１つに記載の監視カメラ装置に存する。
【００１５】
本発明は、（６）後蓋部に取り付けられた吹付用エア管、及び、吹付用エア管の先端に取り付けられたノズル部、からなるエア吹付部を更に備え、監視カメラのレンズにレンズカバーが取り付けられており、吹付用エア管がハウジング部を回り込んでハウジング部の前方へ延出しており、ノズル部が、監視カメラの少なくとも前方にエアを吹き付け可能となっている上記（１）〜（５）いずれか１つに記載の監視カメラ装置に存する。
【００１６】
本発明は、（７）温度６０℃かつ露点温度４５℃以上の高温環境下にある抄紙機のドライヤーフード内部で用いられる上記（１）〜（６）のいずれか１つに記載の監視カメラ装置に存する。
【発明の効果】
【００１９】
本発明の監視カメラ装置においては、監視カメラが内蔵されたハウジング部を備えることにより、監視カメラに汚染物が付着すること、及び、監視カメラに熱が伝わることを極力防止することができる。
このとき、本発明の監視カメラ装置においては、ハウジング部に取り付けられた冷却用エア管からハウジング部内に冷却用のエアが導入されるので、ハウジング部内を冷却することができる。また、導入されるエアにより、汚染物がハウジング部内に侵入することを抑制することができる。
これらのことにより、本発明の監視カメラ装置によれば、高温環境下においても抄紙機のドライヤーフード内部に対して、安定的な撮影をすることが可能となる。
【００２０】
本発明の監視カメラ装置においては、ハウジング部の後蓋部に冷却用エア管が取り付けられていることにより、ハウジング部の内部全体に効率的に冷却用のエアを流通させることが可能となる。
【００２１】
本発明の監視カメラ装置においては、前蓋部に開口部を設けることにより、冷却用のエアは、後蓋部側から流入され、当該開口部から放出されることになる。すなわち、冷却用のエアは、循環することなく、一方向的に流通することになる。
このことにより、監視カメラ装置においては、新鮮な冷却用のエアによって監視カメラを常時冷却することが可能となる。また、冷却用のエアが監視カメラ装置の前方に放出されるため、汚染物がハウジング部の前方からハウジング部内に侵入することをより防止することができる。その結果、監視カメラの前側に位置するレンズ等に汚染物が付着することを防止することが可能となる。
【００２２】
本発明の監視カメラ装置においては、ハウジング部に内蔵された内側ハウジング部を更に備え、監視カメラを内側ハウジング部に内蔵させることにより、監視カメラの外側に、ハウジング部と内側ハウジング部との二重構造が存在することになる。
これにより、監視カメラに熱が伝わることをより効率的に防止することができる。また、監視カメラに汚染物が付着することをより効率的に防止することができる。
【００２３】
このとき、ハウジング部及び内側ハウジング部の間に隙間部を設けることにより、ハウジング部と内側ハウジング部との間には熱伝導率の低い空気層が形成されるので、ハウジング部の外部からの熱が監視カメラに伝わることを更に効率的に防止することができる。なお、隙間部を設けない場合は、ハウジング部に伝わった熱が、内側ハウジング部に伝わる場合がある。
【００２４】
本発明の監視カメラ装置においては、監視カメラを、内側ハウジング部の内壁に接しないように、ステージ部に載置することにより、内側ハウジング部と監視カメラの接触面積を極力小さくすることができる。これにより、仮に内側ハウジング部に熱が伝わったとしても、その熱が監視カメラに伝わることを防止することができる。
【００２５】
本発明の監視カメラ装置においては、本体部の周方向に沿って断熱材を埋設することにより、ハウジング部自体が熱を帯びることを抑制することができる。これにより、外部からの熱がハウジング部に内蔵された監視カメラに伝わることをより防止することができる。
【００２６】
本発明の監視カメラ装置においては、エア吹付部が、監視カメラの少なくとも前方にエアを吹き付け可能となっているので、監視カメラの前側に位置するレンズ等に汚染物が付着することをより防止することができる。
【００２７】
本発明の監視カメラ装置においては、例えば、抄紙機のドライヤーフード内部のように、温度４５℃以上の高温環境下で好適に用いられる。
【図面の簡単な説明】
【００２８】
【図１】図１は、本実施形態に係る監視カメラ装置を示す斜視図である。
【図２】図２は、本実施形態に係る監視カメラ装置を分解して示す斜視図である。
【図３】図３は、本実施形態に係る監視カメラ装置を示す側面断面図である。
【図４】図４は、本実施形態に係る監視カメラ装置を示す正面図である。
【図５】図５は、監視カメラシステムにおいて、本実施形態に係る監視カメラ装置が取り付けられる抄紙機の装置を説明するための模式図である。
【図６】図６は、他の実施形態に係る監視カメラ装置を示す斜視図である。
【発明を実施するための形態】
【００２９】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００３０】
本発明の監視カメラ装置Ａは高温環境下の装置の監視に用いられるものである。用いられる産業分野として、製紙、製鉄、食品製造等の各種製造分野があり得る。
監視カメラ装置Ａは、温度６０℃以上、更には８０℃以上の環境下でも好適に用いられる。また、高温環境下に加え、露点温度４５℃以上、更には露点温度６０℃以上の多湿環境下でも好適に用いられる。
【００３１】
監視カメラ装置Ａは、例えば、抄紙機のドライヤーフード内部に設置され、当該ドライヤーフード内部を監視するために用いられる。なお、ドライヤーフード内部の構成については、後述する。
ここで、抄紙機のドライヤーフード内部は、一般に、少なくとも、温度４５℃以上の環境下となっている。ちなみに、一般的な監視カメラの耐久温度は４５℃以下である。
監視カメラ装置Ａは、このような環境下での安定的な撮影を可能とし、湿紙汚染や断紙の発生箇所を監視することを可能とするものである。
【００３２】
図１は、本実施形態に係る監視カメラ装置Ａを示す斜視図である。
図１に示すように、監視カメラ装置Ａは、図示しない監視カメラと、該監視カメラが内蔵されたハウジング部３と、該ハウジング部３内に冷却用のエアを導入するための冷却用エア管８と、該ハウジング部３に取り付けられたエア吹付部５と、ハウジング部３を固定するためのフレーム９１と、ハウジング部３の下方に設けられた受け部９２とを備える。
【００３３】
このように、監視カメラ装置Ａにおいては、監視カメラ１がハウジング部３に内蔵されており、且つ、ハウジング部３内に冷却用エア管８により冷却用のエアを導入することが可能となっている。これにより、監視カメラ装置Ａは、高温環境下での撮影が可能となる。
また、監視カメラ装置Ａにおいては、エア吹付部５により、監視カメラ１の少なくとも前方にエアを吹き付けることが可能となっている。これにより、監視カメラ１の前側に位置するレンズ等に汚染物が付着することをより防止することができる。
なお、本明細書において、汚染物としては、空気中に浮遊するピッチや紙粉等が挙げられる。
【００３４】
図２は、本実施形態に係る監視カメラ装置Ａを分解して示す斜視図であり、図３は、本実施形態に係る監視カメラ装置Ａを示す側面断面図である。なお、図２において、点線は、それぞれの部材の接続関係を示す。また、本明細書において、監視カメラＡの撮影方向を前方（図３の紙面左側）とし、その反対方向を後方（図３の紙面右側）とする。
図２及び図３に示すように、監視カメラ装置Ａにおいては、ハウジング部３に内側ハウジング部４が内蔵されており、内側ハウジング部４に監視カメラ１が内蔵されている。すなわち、監視カメラ１は、その外側に、ハウジング部３と内側ハウジング部４との二重構造が存在することになる。
【００３５】
監視カメラ装置Ａにおいて、監視カメラ１は、公知の物を適宜採用し得る。
また、監視カメラ１のレンズには、当該レンズを保護するためのレンズカバー１ａが取り付けられている。なお、かかるレンズカバーは、ズーム機能、ブレ防止機能、シャインプルーフ機能等を備えていてもよい。
監視カメラ１は、図示しない通信手段を備えており、該通信手段により、撮影した映像を外部のコンピュータへ送信することが可能となっている。これにより、抄紙工程時の抄紙機の装置の状況を、外部のコンピュータで監視することが可能となる。
【００３６】
監視カメラ装置Ａにおいて、ハウジング部３は、監視カメラ１及び後述する内側ハウジング部４を内蔵する。すなわち、ハウジング部３は、監視カメラ１を熱や汚染物から保護する機能を発揮する。
ハウジング部３は、円筒状の本体部３１と、本体部３１の前端に取り付けられる前蓋部６と、本体部３１の後端にパッキンを介して取り付けられる後蓋部７とを有する。
【００３７】
本体部３１は円筒状であり、その内径が後述する内側ハウジング部４を収容可能な大きさとなっている。
ここで、本体部３１は、熱伝導率１．０以下、好ましくは、０．３以下の素材からなることが好ましい。この場合、外部の熱が、ハウジング部３内に伝わることを抑制することが可能となる。
本体部３１を構成する素材としては、特に限定されないが、例えば、ニッケル、鉄、ステンレス等が挙げられる。これらの中でも、かかる素材は、ステンレスが好適に用いられる。
【００３８】
本体部３１は、その周方向に添って断熱材３２が埋設されている。これにより、本体部３１自体が熱を帯びることを抑制することができる。また、外部からの熱が内側ハウジング部４及びこれに内蔵された監視カメラ１に伝わることをより防止することができる。
かかる断熱材３２としては、特に限定されないが、例えば、ガラスウール、発泡スチロール、発泡ウレタン、エアロゲル等が挙げられる。
【００３９】
前蓋部６は、本体部３１の前端の形状に合致する円盤状であり、その略中央に開口部６１が設けられている。すなわち、前蓋部６は、ドーナツ状となっている。
開口部６１は、監視カメラ１のレンズに対応する位置にある。よって、ハウジング部３に内蔵された監視カメラ１は、当該開口部６１を通じて外部を撮影するようになっており、また、冷却用エア管８からハウジング部３内に導入された冷却用のエアは、当該開口部６１から外部に放出されるようになっている。
なお、かかる開口部６１には、撮影を妨げず、且つ、冷却用のエアを放出可能な通気孔を有していれば、ガラス、フィルム等の透明な部材が取り付けられていてもよい。
【００４０】
ここで、開口部６１の口径は、５〜１００ｍｍであることが好ましい。この場合、開口部６１から流出するエアの流速が高速となり、ハウジング部３内へ汚染物が入り込むことをより防止することができる。
前蓋部６を構成する素材は、上述した本体部３１の素材と同じものを採用可能である。なお、前蓋部６の素材は、本体部３１と同一であっても異なっていてもよい。
【００４１】
後蓋部７は、本体部３１の後端の形状に合致する円盤状であり、前方に向けて延出する棒状の支持部７１を有している。なお、かかる支持部７１は、後述する内側ハウジング部４の内後蓋部４ｃを支持している。
また、後蓋部７には、貫通穴Ｈが設けられている。
当該貫通穴Ｈには、後述するボルテックスクーラーＣの取り付け部Ｃ１が挿入される。これにより、後蓋部７の後側の面にボルテックスクーラーＣが取り付けられる。なお、当該ボルテックスクーラーＣには、冷却用エア管８及び吹付用エア管５１が取り付けられている。すなわち、後蓋部７には、ボルテックスクーラーＣを介して、冷却用エア管８及び吹付用エア管５１が取り付けられている。
後蓋部７を構成する素材は、上述した本体部３１の素材と同じものを採用可能である。なお、後蓋部７の素材は、本体部３１又は前蓋部６と同一であっても異なっていてもよい。
【００４２】
監視カメラ装置Ａにおいて、内側ハウジング部４は、ハウジング部３に内蔵され、監視カメラ１を内蔵する。すなわち、内側ハウジング部４は、監視カメラ１を、ハウジング部３を通過した熱や汚染物から保護する機能を発揮する。
内側ハウジング部４は、内本体部４ａと、内本体部４ａの前端に取り付けられる内前蓋部４ｂと、内本体部４ａの後端に取り付けられる内後蓋部４ｃとを有する。
【００４３】
内本体部４ａは、円筒状であり、内部に監視カメラ１を内蔵可能となっている。
ここで、内本体部４ａは、熱伝導率０．３以上、好ましくは、１．０以上の素材からなることが好ましい。この場合、後述する冷却用エア管８から隙間部２へ導入される冷却用のエアによる冷却が、内本体部４ａ（内側ハウジング部４）内に伝わりやすく、効率的に内本体部４ａ内部を冷却することが可能となる。
かかる素材としては、特に限定されないが、例えば、銀、銅、金、アルミニウム等が挙げられる。これらの中でも、かかる素材は、アルミニウムが好適に用いられる。
【００４４】
内前蓋部４ｂは、内本体部４ａの前端の形状に合致する円盤状であり、その略中央に内開口部４１ｂが設けられている。すなわち、内前蓋部４ｂは、ドーナツ状となっている。
なお、内前蓋部４ｂは、前蓋部６よりも小さくなっているが、内開口部４１ｂは、開口部６１と略同一の大きさとなっている。
また、内開口部４１ｂは、監視カメラ１のレンズ及び前蓋部６の開口部６１に対応する位置にある。よって、内側ハウジング部４に内蔵された監視カメラ１は、内開口部４１ｂ及び開口部６１を通じて外部を撮影するようになっている。
なお、かかる内開口部４１ｂには、撮影を妨げないものであれば、空洞であっても、ガラス、フィルム等の透明な部材が取り付けられていてもよい。
【００４５】
ここで、内前蓋部４ｂは、上述した監視カメラ１のレンズカバー１ａが内開口部４１ｂに挿入されることにより、当該レンズカバー１ａを支持している。これにより、監視カメラ１のレンズカバー１ａの重量が大きい場合であっても、監視カメラ１を確実に固定することが可能となる。
内前蓋部４ｂを構成する素材は、上述した内本体部４ａの素材と同じものを採用可能である。なお、内前蓋部４ｂの素材は、内本体部４ａと同一であっても異なっていてもよい。
【００４６】
内後蓋部４ｃは、内本体部４ａの後端の形状に合致する円盤状であり、前方に向けて延出するステージ部４１を有している。
当該ステージ部４１には、監視カメラ１が載置される。
したがって、監視カメラ１は、ステージ部４１に載置され、且つ、上述した監視カメラ１に取り付けられたレンズカバー１ａが内前蓋部４ｂに支持されることにより、内側ハウジング部４に取り付けられる。
【００４７】
このとき、監視カメラ１は、内本体部４ａ（内側ハウジング部４の内壁）に接しないように、ステージ部４１に載置されている。すなわち、監視カメラ１は、ステージ部４１にのみ接しており、監視カメラ１と内本体部４ａとの間が空間となっている。
これにより、監視カメラ１と内側ハウジング部４との接触面積を極力小さくすることができるので、仮に内本体部４ａに熱が伝わったとしても、その熱が監視カメラ１に伝わることを防止することができる。
【００４８】
内後蓋部４ｃを構成する素材は、上述した内本体部４ａの素材と同じものを採用可能である。なお、内後蓋部４ｃの素材は、内本体部４ａ又は内前蓋部４ｂと同一であっても異なっていてもよい。また、内後蓋部４ｃのうち、ステージ部４１のみが別素材であってよい。
ステージ部４１は、内本体部４ａと同様に熱伝導率０．３以上、好ましくは、１．０以上の素材からなることが好ましい。この場合、後述する冷却用エア管８から隙間部２へ導入される冷却用のエアによる冷却が、内後蓋部４ｃからステージ部４１を介し監視カメラ１へ伝わり、監視カメラ１を冷却することが可能となる。
【００４９】
内後蓋部４ｃの後側には後蓋部７の支持部７１が取り付けられており、該支持部７１により、内後蓋部４ｃが支持されている。すなわち、ハウジング部３は、支持部７１により内側ハウジング部４を支持している。
このとき、内本体部４ａの外壁と本体部３１の内壁との間、内前蓋部４ｂ及び前蓋部６の間、並びに、内後蓋部４ｃ及び後蓋部７との間には、空間である隙間部２が形成される。
かかる隙間部２は、熱伝導率の低い空気層となっているので、仮にハウジング部３に熱が伝わったとしても、その熱が内側ハウジング部４、及びそれに内蔵された監視カメラ１に伝わることを更に効率的に防止することが可能となる。
【００５０】
監視カメラ装置Ａにおいて、冷却用エア管８は、一端が図示しないエア供給源に接続されており、他端がボルテックスクーラーＣを介して後蓋部７に取り付けられている。
そして、冷却用エア管８の内部は、ボルテックスクーラーＣの内部を介してハウジング部３内の隙間部２と連通している。このため、エア供給源から供給される冷却用のエアは、冷却用エア管８から、ハウジング部３内に導入されると、隙間部２を一方向的に流通し、前蓋部６の開口部６１から放出されるようになっている。
このように、監視カメラ装置Ａにおいては、ハウジング部３内を新鮮な冷却用のエアが流通することになるため、ハウジング部３内に効率良く冷却用のエアを流通させてハウジング部３内を冷却することができると共に、放出されるエアにより、監視カメラ１の前方に汚染物が付着すること、及び、汚染物が開口部６１からハウジング部３内に侵入することを抑制することができる。
【００５１】
監視カメラ装置Ａにおいて、ボルテックスクーラーＣは、取り付け部Ｃ１を有しており後蓋部７に設けられた貫通穴Ｈに当該取り付け部Ｃ１を挿入することにより、後蓋部７に取り付けられている。
また、ボルテックスクーラーＣは、上述した冷却用エア管８及び吹付用エア管５１が取り付けられている。
【００５２】
ボルテックスクーラーＣは、流入されたエアを、冷却したエアと、それから排熱されたエアとに分離する機能を発揮する。このため、ボルテックスクーラーＣには、エアを導入するための流入口、冷却したエアを流出するための冷却側流出口及び排熱したエアを流出するための排熱側流出口が形成されている。
【００５３】
なお、冷却側流出口は、ボルテックスクーラーＣの取り付け部Ｃ１に形成されている。このため、取り付け部Ｃ１を貫通穴Ｈに嵌合されることで、冷却側流出口がハウジング部３内に配置されるようになっている。
【００５４】
監視カメラ装置Ａにおいては、エア供給源から冷却用エア管８へ供給された冷却用のエアは、流入口を通ってボルテックスクーラーＣに流入し、更に冷却されて冷却側流出口から放出されてハウジング部３へ導入される。
また、排熱されたエアは排熱側流出口から放出されてエア吹付部５に供給される。
このように、監視カメラ装置Ａにおいては、ボルテックスクーラーＣを用いることにより、冷却用エア管８と、吹付用エア管５１とのエア供給源を共通とすることができ、ハウジング部３の冷却と、エア吹付部５によるエアの吹き付けを、エネルギー効率高く行うことが可能となる。また、冷却用エア管８と吹付用エア管５１との後蓋部７への取り付け構造をシンプルなものとすることができる。
【００５５】
監視カメラ装置Ａにおいて、エア吹付部５は、吹付用エア管５１、及び、該吹付用エア管５１の先端に取り付けられたノズル部５２、からなる。なお、吹付用エア管５１の後端は、上述したボルテックスクーラーＣの排熱されたエアが放出される側に取り付けられる。
したがって、吹付用エア管５１は、ボルテックスクーラーＣを介して後蓋部7に取り付けられている。
【００５６】
図４は、本実施形態に係る監視カメラ装置Ａを示す正面図である。
図４に示すように、吹付用エア管５１は、後蓋部７からハウジング部３の上側を回り込んで前方へ延出する構造となっている。これにより、先端のノズル部５２が、監視カメラ１の少なくとも前方へエアを吹き付け可能となる。
【００５７】
ノズル部５２は、上面視で、先端が広がった扇状となっており、先端に設けられたノズル口５２ａから吹付用のエアを極力広範囲に吹き付けることが可能となっている。
また、ノズル口５２ａには、リブが設けられており、ノズル口５２ａから吹き付けられる吹付用のエアを横方向へ逸らさず前方へ誘導するようになっている。
【００５８】
エア吹付部５は、吹付用エア管５１から供給された吹付用のエアを、ノズル部５２から、監視カメラ１の前方へ吹き付けるようになっている。なお、監視カメラ１の前方に吹付用のエアを吹き付ける際に、吹付用のエアの一部が、監視カメラ１に直接吹き付けられていてもよい。これにより、監視カメラ１に汚染物が付着することを防止することができる。
【００５９】
本実施形態に係る監視カメラ装置Ａは、ハウジング部３の本体部３１の略中央を横断するように取り付けられた帯状のフレーム９１により固定されている。これにより、抄紙工程において、監視カメラ装置Ａに機械的な振動が伝わったとしても、監視カメラ装置Ａが落下等することを防止することができる。
また、監視カメラ装置Ａのハウジング部３の下方には箱状の受け部９２が設けられている。これにより、監視カメラ装置Ａの外壁に汚染物が付着した場合、その汚染物が蓄積して落下したとしてもこれを受け止めることができる。その結果、監視カメラ装置Ａから汚染物が落下して、湿紙等を汚染させることを防止することができる。
【００６０】
本実施形態に係る監視カメラ装置Ａは、抄紙機の監視カメラシステムに用いることができる。すなわち、監視カメラシステムは、抄紙機と、該抄紙機の装置をモニタリングするための監視カメラ装置Ａと、該監視カメラ装置Ａとネットワークを介して接続された制御装置とを有する。
監視カメラシステムによれば、装置を監視することにより、紙に欠点が発生することを予防することができる。
【００６１】
図５は、監視カメラシステムにおいて、本実施形態に係る監視カメラ装置Ａが取り付けられる抄紙機の装置を説明するための模式図である。
図５に示すように、抄紙機は、一般に水中にパルプが分散された液を抄紙用のワイヤー（網）（図示しない）に載せ、余分な水を自然落下させることにより湿紙Ｘとするワイヤーパート（図示しない）と、湿紙Ｘを一対のプレスロール１１間に通し、フェルト１１ａを介してプレスロール１１で押圧することにより、湿紙Ｘ中の水分をフェルト１１ａに移行させ、これにより湿紙Ｘを脱水するプレスパートＰと、プレスパートＰを通過した湿紙Ｘを、ドライヤーフードＤＨ内部で、カンバス１２ａを介して、加熱されたドライヤーロール１２に接触させることで乾燥させ、紙とするドライヤーパートＤと、ブレーカースタックロールにより紙の紙厚及び平滑性を調整し、カレンダーロールにより紙をカレンダー加工するするカレンダーパート（図示しない）と、紙をスプールと呼ばれる棒に巻き取るリールパート（図示しない）と、を有する。
なお、ドライヤーフードＤＨは、中空状の筐体であり、その内部に、ドライヤーロール１２、カンバス１２ａ、カンバス１２ａを案内するカンバスロール１２ｂが収容されている。
【００６２】
監視カメラ装置Ａは、ドライヤーフードＤＨ内部を監視する。
例えば、ドライヤーロール１２の表面、カンバス１２ａの表面、カンバスロール１２ｂの表面を監視する。これらの装置においては、湿紙が直接又は間接的に接触するため、汚染物が付着すると、これが湿紙に転移して湿紙汚染を引き起こす原因となる。
また、ドライヤーフードＤＨの天井の内部側、付与装置１３の表面、カンバス洗浄装置（図示しない）の表面を監視する。これらの装置においては、汚染物が付着すると、これが湿紙や、湿紙が直接又は間接的に接触する装置に落下することにより、同様に湿紙汚染を引き起こす原因となる。
したがって、監視カメラ装置Ａによれば、汚染物の付着を早期に発見することができ、湿紙汚染及び断紙を防止し、仮にこれらが発生したとしても、早期に対応することが可能となる。
なお、ドライヤーフードＤＨ内部において、湿紙自体の表面を監視することも当然可能である。
【００６３】
監視カメラシステムにおいて、抄紙機には、装置に薬液を付与するための付与装置１３が取り付けられている。
かかる薬液としては、例えば、装置に対して汚染物が付着するのを防止するための汚染防止剤が挙げられる。
【００６４】
制御装置は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、外部記憶装置、入力部及び出力部を備え、通常のコンピュータと同様の構成を備えている。
【００６５】
監視カメラシステムにおいては、監視カメラ装置Ａが撮影した映像を、ネットワークを介して受信し、受信した映像を基に、抄紙機の状態、汚染物の発生を検知する。かかる検知は、映像を介して人が目視により行うことも、プログラムにより行うことも可能である。
そして、汚染箇所の発生、またはその兆候が見られる場合、汚染物の種類や量に応じて抄紙機の稼働に対してフィードバック制御を行う。なお、かかるフィードバック制御は、手動によることも、プログラムによる自動制御とすることも可能である。
具体的には、制御装置が、監視対象である装置、あるいはその上流側に位置する付与装置１３が付与する汚染防止剤の量を増減させたり、汚染防止剤の種類を変える、或いは新たな薬剤を付与する等の制御を行う。
【００６６】
監視カメラシステムによれば、監視カメラ装置Ａを用いることにより、高温環境下で加工が行われる抄紙機のドライヤーフードＤＨ内部に対しても、安定的な監視が可能となり、湿紙汚染や断紙の発生箇所を監視することができる。
また、監視カメラ装置Ａを利用することにより、汚染物の種類や数、大きさを監視することができ、それに応じて、制御装置が、付与装置１３による汚染防止剤の種類や付与量を調節することができる。その結果、抄紙機の稼働を止めることなく品質を維持することが可能となる。
なお、抄紙機の稼働を停止してメンテナンスを行う必要がある程度の汚染物が発生した場合でも、かかる事態の発生をいち早く発見して、早期の対応を行うことが可能となる。
【００６７】
以上、本発明の好適な実施形態について説明したが、本発明は上記実施形態に限定されるものではない。
【００６８】
本実施形態の監視カメラ装置Ａにおいては、ハウジング部３内に監視カメラ１を１台設置しているが、ハウジング部３内に監視カメラ１を複数台設置し、複数の方向を撮影できるようにすることも可能である。この場合、それぞれの監視カメラ１の撮影方向に応じて、開口部６１やエア吹付部５の位置、個数を調整できる。
【００６９】
本実施形態の監視カメラ装置Ａにおいて、ハウジング部３の形状は、円筒状であるが、これに限られず、例えば、中空角柱状であってもよい。
【００７０】
本実施形態の監視カメラ装置Ａにおいて、監視カメラ１をステージ部４１に載置しているが、これに限定されず、例えば、内側ハウジング部４の内部に支持部を設け、これにより支持してもよい。
【００７１】
本実施形態の監視カメラ装置Ａにおいて、冷却用エア管８及び吹付用エア管５１が後蓋部７に取り付けられているが、これに限定されず、例えば、ハウジング部３の上方等に取り付けられていてもよい。
【００７２】
本実施形態の監視カメラ装置Ａにおいて、ハウジング部３の本体部３１には断熱材３２が埋設されているが必ずしも必須ではない。
また、内側ハウジング部４の内本体部４ａのみに断熱材が埋設されていてもよく、本体部３１及び内本体部４ａの両方に断熱材が埋設されていてもよい。
【００７３】
本実施形態の監視カメラ装置Ａにおいては、冷却用エア管８と、吹付用エア管５１とがボルテックスクーラーＣを介して後蓋部７に取り付けられているが、これに限定されない。
例えば、冷却用エア管８と吹付用エア管５１とが、独立して後蓋部７に取り付けられていてもよい。
【００７４】
図６は、他の実施形態に係る監視カメラ装置Ａを示す斜視図である。
図６に示すように、冷却用エア管８は後蓋部７に取り付けられており、吹付用エア管５１は、後蓋部７から後側へ向かって延出したアームを介して後蓋部７に取り付けられている。この場合、冷却用エア管８と吹付用エア管５１とがそれぞれ独立したエア供給源に接続されている。
冷却用エア管８と吹付用エア管５１とに独立したエア供給源を用いることにより、それぞれに供給されるエアの温度及び圧力を調整することが容易となる。
【００７５】
本実施形態の監視カメラ装置Ａは、抄紙機の装置を監視する例で説明しているが、抄紙機以外の他の産業分野の装置の監視に用いてもよい。
【００７６】
また、本実施形態の監視カメラ装置Ａにおいては、抄紙機のドライヤーフードＤＨ内部を監視しているが、ワイヤー（図示しない）、フェルト１１ａ、ブレーカースタックロール（図示しない）、カレンダロール（図示しない）等の監視に用いてもよい。
【産業上の利用可能性】
【００７７】
本発明の監視カメラ装置Ａは、抄紙機における装置を監視するための撮影に好適に用いられる。
本発明の監視カメラ装置Ａによれば、熱や汚染物から監視カメラ１を保護して、高温環境下での装置の安定的な撮影が可能である。
【符号の説明】
【００７８】
１・・・監視カメラ
１ａ・・・レンズカバー
２・・・隙間部
３・・・ハウジング部
３１・・・本体部
３２・・・断熱材
４・・・内側ハウジング部
４１・・・ステージ
４ａ・・・内本体部
４ｂ・・・内前蓋部
４１ｂ・・・内開口部
４ｃ・・・内後蓋部
５・・・エア吹付部
５１・・・・吹付用エア管
５２・・・ノズル部
６・・・前蓋部
６１・・・開口部
７・・・後蓋部
７１・・・支持部
８・・・冷却用エア管
９１・・・フレーム
９２・・・受け部
１１・・・プレスロール
１１ａ・・・フェルト
１２・・・ドライヤーロール
１２ａ・・・カンバス
１２ｂ・・・カンバスロール
１３・・・付与装置
Ａ・・・監視カメラ装置
Ｃ・・・ボルテックスクーラー
Ｃ１・・・取り付け部
Ｈ・・・貫通穴
Ｄ・・・ドライヤーパート
ＤＨ・・・ドライヤーフード
Ｐ・・・プレスパート
Ｘ・・・湿紙
【要約】
【課題】高温環境下での装置の安定的な撮影が可能な監視カメラ装置を提供すること。
【解決手段】本発明は、高温環境下にある装置を監視するために用いられる監視カメラ装置Ａであって、監視カメラ１と、監視カメラ１が内蔵されたハウジング部３と、ハウジング部３内にエアを導入するための冷却用エア管８と、を備え、ハウジング部３が、円筒状の本体部３１と、該本体部３１の後端に取り付けられた後蓋部７とを有し、後蓋部７に冷却用エア管８が取り付けられている監視カメラ装置Ａである。
【選択図】図１【図１】
0006745026.tif 000002
【図２】
0006745026.tif 000003
【図３】
0006745026.tif 000004
【図４】
0006745026.tif 000005
【図５】
0006745026.tif 000006
【図６】
0006745026.tif 000007